(57)【要約】【課題】普通のぬいぐるみなど（装置を内蔵していないもの）と変わらない質感を与える人形体を使用して電動玩具を作動させることで、使用者に不思議な印象を与えることができる玩具セットを提供する。【解決手段】導電性繊維を使用した人形体１１と、作動機構２１を内蔵した電動玩具２０と、を備え、前記電動玩具２０は外部に露出した接点２５を設けた接点露出部２４を備え、前記接点露出部２４に前記人形体１１を配置したときに、前記人形体１１を介して前記接点２５間が通電し、前記作動機構２１が作動を開始するようにした。【選択図】図１
2014124280.tif 000002
【特許請求の範囲】
【請求項１】
導電性繊維を使用した人形体と、作動機構を内蔵した電動玩具と、を備え、
前記電動玩具は外部に露出した接点を設けた接点露出部を備え、前記接点露出部に前記人形体を配置したときに、前記人形体を介して前記接点間が通電し、前記作動機構が作動を開始することを特徴とする、玩具セット。
【請求項２】
前記電動玩具は、複数の前記接点露出部を備えており、すべての前記接点露出部に前記人形体を配置することで前記作動機構が作動を開始することを特徴とする、請求項１記載の玩具セット。
【請求項３】
前記人形体は、人形本体に導電性繊維を使用した衣服を着せたものであることを特徴とする、請求項１又は２記載の玩具セット。
【請求項４】
前記接点露出部の接点の距離を前記人形体の幅よりも大きく設定したことを特徴とする、請求項１〜３のいずれかに記載の玩具セット。
【発明の詳細な説明】
【技術分野】
【０００１】
この発明は、人形体と電動玩具とを組み合わせて作動する玩具セットに関する。
【背景技術】
【０００２】
近年、導電性繊維を使用した製品が数多く提案されており、導電性繊維を使用した玩具も提案されている。例えば、特許文献１には、ぬいぐるみ本体の外表面に手を接触することでぬいぐるみ本体を音声で反応させるようにしたぬいぐるみ玩具が開示されている。この特許文献１記載のぬいぐるみ玩具は、ぬいぐるみ本体内に音声出力装置を設けるとともに、ぬいぐるみ本体の外表面に互いに接触しないように離間して突出させた一対の導電性繊維束を設け、ぬいぐるみ本体の外表面に手を接触して導電性繊維束間を短絡することにより発生する信号を音声出力装置の入力指令として供給するようにしている。
【先行技術文献】
【特許文献】
【０００３】
【特許文献１】特開２００２−３５４３９号公報
【発明の概要】
【発明が解決しようとする課題】
【０００４】
しかし、上記した特許文献１記載のぬいぐるみ玩具は、ぬいぐるみ玩具の内部に音声出力装置が内蔵されているため、普通のぬいぐるみに比べて重かったり、装置の感触が感じられたりといった点で、普通のぬいぐるみとは異なる質感を与えるものであった。このため、装置が内蔵されていることが感じられるため、ぬいぐるみ玩具が音声出力などを行ったときでもそれほど不思議な印象を与えることができなかった。
【０００５】
また、ぬいぐるみ玩具が普通のぬいぐるみに比べて重いため、小さい子供が遊ぶのに適していなかったり、普通のぬいぐるみのように乱暴に扱うと壊れてしまうといった問題があった。
【０００６】
そこで、本発明は、普通のぬいぐるみなど（装置を内蔵していないもの）と変わらない質感を与える人形体を使用して電動玩具を作動させることで、使用者に不思議な印象を与えることができる玩具セットを提供することを課題とする。
【課題を解決するための手段】
【０００７】
本発明は、上記した課題を解決するためになされたものであり、以下を特徴とする。
【０００８】
（請求項１）
請求項１に記載の玩具セットは、導電性繊維を使用した人形体と、作動機構を内蔵した電動玩具と、を備え、前記電動玩具は外部に露出した接点を設けた接点露出部を備え、前記接点露出部に前記人形体を配置したときに、前記人形体を介して前記接点間が通電し、前記作動機構が作動を開始することを特徴とする。
【０００９】
（請求項２）
請求項２に記載の発明は、上記した請求項１記載の発明の特徴点に加え、以下の点を特徴とする。
【００１０】
すなわち、前記電動玩具は、複数の前記接点露出部を備えており、すべての前記接点露出部に前記人形体を配置することで前記作動機構が作動を開始することを特徴とする。
【００１１】
（請求項３）
請求項３に記載の発明は、上記した請求項１又は２記載の発明の特徴点に加え、以下の点を特徴とする。
【００１２】
すなわち、前記人形体は、人形本体に導電性繊維を使用した衣服を着せたものであることを特徴とする。
【００１３】
（請求項４）
請求項４に記載の発明は、上記した請求項１〜３のいずれかに記載の発明の特徴点に加え、以下の点を特徴とする。
【００１４】
すなわち、前記接点露出部の接点の距離を前記人形体の幅よりも大きく設定したことを特徴とする。
【発明の効果】
【００１５】
請求項１に記載の発明は上記の通りであり、導電性繊維を使用した人形体を接点に配置したときに人形体を介して接点間が通電して電動玩具内の作動機構が作動を開始するので、人形体が装置を内蔵する必要がなく、普通のぬいぐるみなど（装置を内蔵していないもの）と変わらない質感を与える人形体を使用して電動玩具を作動させることができ、使用者に不思議な印象を与えることができる。
【００１６】
また、装置を内蔵していない人形体は、柔らかく、かつ、軽く形成することができるので、小さい子供でも安心して遊ばせることができるとともに、人形体を乱暴に扱っても壊れにくいものとなっている。
【００１７】
また、請求項２に記載の発明は上記の通りであり、電動玩具は、複数の接点露出部を備えており、すべての接点露出部に前記人形体を配置することで前記作動機構が作動を開始するので、例えば、２体の人形体を椅子に座らせると電動玩具が作動して会話が始まるような面白みのある玩具セットを提供することができる。
【００１８】
また、請求項３に記載の発明は上記の通りであり、前記人形体は、人形本体に導電性繊維を使用した衣服を着せたものであるので、人形体全体を導電性繊維で製造する必要がなく、製造コストを抑制することができる。また、導電性繊維を使用した衣服と普通の糸を使用した衣服とを着せ替えするようにし、導電性繊維を使用した特定の衣服を着せた場合にのみ電動玩具が作動するようにすることもできる。例えば、警官の制服を着せた人形体を配置したときにのみ作動して走行するパトカーの電動玩具などの面白みのある玩具セットを提供することができる。
【００１９】
また、請求項４に記載の発明は上記の通りであり、接点露出部の接点の距離を前記人形体の幅よりも大きく設定したので、１つの人形体を接点露出部に配置した場合には作動しないが、接点間をつなぐように複数の人形体を互いに接触させて並べたときには反応する作動機構を設けることができる。例えば、人形体を並べたときに会話が始まるような、新規な印象の玩具セットを提供することができる。
【００２０】
また、大きさの異なる人形体を２種類以上提供し、小さいほうの人形体の幅よりも接点露出部の接点の距離を大きく設定するとともに、大きいほうの人形体の幅よりも接点露出部の接点の距離を小さく設定すれば、小さいほうの人形体を接点露出部に配置した場合には作動機構が作動しないが、大きいほうの人形体を配置したときには作動機構が作動するようにすることができる。例えば、赤ちゃんの人形体を配置しても動かないが、大人の人形体を配置すれば動くというような電動玩具を提供することができる。
【図面の簡単な説明】
【００２１】
【図１】第１の実施形態に係る玩具セットの外観図である。
【図２】第１の実施形態に係る人形体の外観図であって、（ａ）人形本体の図、（ｂ）人形本体に衣服を着せた図、（ｃ）人形本体に別の衣服を着せた図である。
【図３】第１の実施形態に係る玩具セットのブロック図である。
【図４】第１の実施形態の変形例に係る玩具セットの外観図である。
【図５】第２の実施形態に係る玩具セットの外観図である。
【図６】第２の実施形態に係る玩具セットのブロック図である。
【図７】第２の実施形態の変形例に係る玩具セットのブロック図である。
【発明を実施するための形態】
【００２２】
（第１の実施形態）
本発明の第１の実施形態について、図１〜４を参照しながら説明する。
【００２３】
本実施形態に係る玩具セット１０は、図１に示すような人形体１１と電動玩具２０とを備えている。
【００２４】
人形体１１は、表面に露出する部分に導電性繊維を使用したものであり、本実施形態においては、図２に示すように、樹脂製（ソフトビニールなど）の人形本体１２に導電性繊維を使用した衣服１３を着せたものである。本実施形態においては、図２（ｂ）（ｃ）に示すように、複数種類の衣服１３を提供しており、人形本体１２に衣服１３を着せ替えて遊ぶことができるようになっている。
【００２５】
なお、このように衣服１３を複数種類提供した場合には、すべての衣服１３が導電性繊維を使用して製造されていてもよいが、一部の衣服１３のみが導電性繊維を使用して製造されていてもよい。また、本実施形態においては人形本体１２に導電性繊維を使用した衣服１３を着せるようにしたが、これに限らず、導電性繊維を使用したぬいぐるみ等として人形体１１を形成してもよい。
【００２６】
本実施形態に係る電動玩具２０は、作動機構２１としてのモータを内蔵した車玩具であり、モータに電力が供給されて回転することで前進するように形成されたものである。また、電動玩具２０は、作動機構２１の動力源となる電源（図示せず）を内蔵しており、この電源は作動機構２１と電気的に接続されている。
【００２７】
また、電動玩具２０は、制御装置２６を備えている。この制御装置２６は、例えば、検出回路２６ａ、制御回路２６ｂ、駆動回路２６ｃを備えている。検出回路２６ａは、図３に示すように、外部に露出した２つの接点２５に接続されており、この２つの接点２５間が電気的に導通しているか否かを検出する。検出回路２６ａが２つの接点２５間が電気的に導通していることを検出すると、制御回路２６ｂに検出信号が出力される。制御回路２６ｂが検出信号を受け取ると、制御回路２６ｂから駆動回路２６ｃに駆動信号が出力され、駆動回路２６ｃによって作動機構２１へと電力が供給されて作動機構２１が作動を開始する。
【００２８】
上記した接点２５は、電動玩具２０の接点露出部２４に設けられている。本実施形態においては、車玩具の座席部に接点露出部２４が設けられており、この接点露出部２４に２つの接点２５が互いに間隔を設けて配置されている。このため、車玩具の座席部に人形体１１を配置すると、人形体１１の導電性繊維を介して２つの接点２５間が電気的に導通し、作動機構２１が作動を開始するように形成されている。
【００２９】
なお、上記した実施形態において、制御装置２６を介して作動機構２１に電力供給を行ったのは、導電性繊維の抵抗値が比較的大きく、大きな電流が流せないためである。すなわち、モータを起動させるために必要な電流を導電性繊維に流すことができないため、導電性繊維による通電の有無を検出する系統と、モータへの電力供給の系統とを別に設けている。
【００３０】
以上のように、本実施形態によれば、車玩具（電動玩具２０）に人形体１１を置くだけで車玩具が走り出すので、使用者に不思議な印象を与えることができる。
【００３１】
なお、接点露出部２４の接点２５の距離を図４に示すように変化させてもよい。この図４の例では、大きさの異なる２種類の人形体１１を提供している。そして、接点２５の距離は、小さいほうの人形体１１の幅よりも大きく設定されており、かつ、大きいほうの人形体１１の幅よりも小さく設定されている。このため、図４（ａ）に示すように、大きいほうの人形体１１（例えば、大人をイメージした人形体１１）を接点露出部２４に配置した場合には作動機構２１が作動し、小さいほうの人形体１１（例えば、赤ちゃんをイメージした人形体１１）を接点露出部２４に配置した場合には作動機構２１が作動しないように形成されている。
【００３２】
また、上記した検出回路２６ａや制御回路２６ｂはＣＰＵに置き換えてもよい。
【００３３】
（第２の実施形態）
本発明の第２の実施形態について、図５〜７を参照しながら説明する。
【００３４】
本実施形態に係る玩具セット１０は、図５に示すような人形体１１と電動玩具２０とを備えている。なお、人形体１１は第１の実施形態と同様のものを使用しているため、説明を省略する。
【００３５】
本実施形態に係る電動玩具２０は、作動機構２１としての音声出力装置を内蔵した家具玩具であり、音声出力装置に電力が供給されると音声を出力するように形成されている。また、電動玩具２０は、作動機構２１の動力源となる電源（図示せず）を内蔵しており、この電源は作動機構２１と電気的に接続されている。
【００３６】
また、電動玩具２０は、制御装置２６を備えている。この制御装置２６は、例えば、検出回路２６ａ、制御回路２６ｂ、駆動回路２６ｃを備えている。検出回路２６ａは、図６に示すように、外部に露出した接点２５に接続されており、この接点２５間が電気的に導通しているか否かを検出する。検出回路２６ａが２つの接点２５間が電気的に導通していることを検出すると、制御回路２６ｂに検出信号が出力される。制御回路２６ｂが検出信号を受け取ると、制御回路２６ｂから駆動回路２６ｃに駆動信号が出力され、駆動回路２６ｃによって作動機構２１へと電力が供給されて作動機構２１が作動を開始する。
【００３７】
上記した接点２５は、電動玩具２０の接点露出部２４に設けられている。本実施形態においては、椅子の座席部に接点露出部２４が設けられており、この接点露出部２４に２つの接点２５が互いに間隔を設けて配置されている。このため、椅子の座席部に人形体１１を配置すると、人形体１１の導電性繊維を介して２つの接点２５間が電気的に導通するように形成されている。
【００３８】
図６（ａ）は、１つの接点露出部２４を備えた電動玩具２０の例である。この例では、電動玩具２０は１人用の椅子を１つ備えており、この椅子に接点露出部２４が設けられている。このような構成の場合、椅子の接点露出部２４に１つの人形体１１を配置することで、作動機構２１へと電力が供給されて作動機構２１が作動を開始する（本実施形態の場合、音声の出力が開始されることで、人形体１１がおしゃべりを始めたかのように作動する）。
【００３９】
また、図６（ｂ）は、複数（この例では２つ）の接点露出部２４を備えた電動玩具２０の例である。この例では、電動玩具２０は１人用の椅子を複数（２つ）備えており、この複数（２つ）の椅子にそれぞれ接点露出部２４が設けられている。このような構成の場合、すべて（２つ）の椅子の接点露出部２４にそれぞれ人形体１１を配置したときに、作動機構２１へと電力が供給されて作動機構２１が作動を開始する（本実施形態の場合、向かい合った２つの椅子に２つの人形体１１をそれぞれ配置すると音声の出力が開始され、２つの人形体１１が会話を開始したかのように作動する）。
【００４０】
なお、上記の他にも、図７のような電動玩具２０を提供してもよい。この図７は上記した実施形態の変形例であり、人形体１１を複数並べて配置できるソファを備えた電動玩具２０の例である。
【００４１】
図７（ａ）では、電動玩具２０は２人掛け用のソファを備えており、このソファの座席部に複数（この例では２つ）の接点露出部２４を横並びに設けている。そして、この複数の接点露出部２４のすべてに人形体１１を配置したときに、作動機構２１へと電力が供給されて作動機構２１が作動を開始するようになっている（例えば、２つの人形体１１が会話を開始したかのように作動する）。
【００４２】
図７（ｂ）では、電動玩具２０は２人掛け用のソファを備えており、このソファの座席部に１つの接点露出部２４を設けている。この接点露出部２４は、接点２５の距離が人形体１１の幅よりも大きく設定されており、接点２５間をつなぐように複数の人形体１１を互いに接触させて接点露出部２４に配置することで、複数の人形体１１を介して接点２５が導通し、作動機構２１へと電力が供給されて作動機構２１が作動を開始するようになっている（例えば、２つの人形体１１が会話を開始したかのように作動する）。
【００４３】
このように、本実施形態によれば、家具玩具（電動玩具２０）に人形体１１を置くだけで音声が出力されるので、使用者に不思議な印象を与えることができる。
【００４４】
（まとめ）
以上説明したように、上記した実施形態によれば、導電性繊維を使用した人形体１１を接点露出部２４に配置したときに人形体１１を介して接点２５間が通電して作動機構２１が作動を開始するので、人形体１１が装置を内蔵する必要がなく、普通のぬいぐるみなど（装置を内蔵していないもの）と変わらない質感を与える人形体１１を使用して電動玩具２０を作動させることができ、使用者に不思議な印象を与えることができる。
【００４５】
また、装置を内蔵していない人形体１１は、柔らかく、かつ、軽く形成することができるので、小さい子供でも安心して遊ばせることができるとともに、人形体１１を乱暴に扱っても壊れにくいものとなっている。
【００４６】
また、電動玩具２０が複数の接点露出部２４を備えており、すべての接点露出部２４に人形体１１を配置することで作動機構２１が作動を開始するようにすれば、２体の人形体１１を椅子に座らせると電動玩具２０が作動して会話が始まるような面白みのある玩具セット１０を提供することができる。
【００４７】
また、人形体１１は、人形本体１２に導電性繊維を使用した衣服１３を着せたものであるので、人形体１１全体を導電性繊維で製造する必要がなく、製造コストを抑制することができる。また、導電性繊維を使用した衣服１３と普通の糸を使用した衣服とを着せ替えするようにし、導電性繊維を使用した特定の衣服１３を着せた場合にのみ電動玩具２０が作動するようにすることもできる。例えば、警官の制服を着せた人形体１１を配置したときにのみ作動して走行するパトカーの電動玩具２０などの面白みのある玩具セット１０を提供することができる。
【００４８】
また、接点露出部２４の接点２５の距離を人形体１１の幅よりも大きく設定すれば、１つの人形体１１を接点露出部２４に配置した場合には作動しないが、接点２５間をつなぐように複数の人形体１１を互いに接触させて並べたときには反応する作動機構２１を設けることができる。例えば、人形体１１を並べたときに会話が始まるような、新規な印象の玩具セット１０を提供することができる。
【００４９】
また、大きさの異なる人形体１１を２種類以上提供し、小さいほうの人形体１１の幅よりも接点露出部２４の接点２５の距離を大きく設定するとともに、大きいほうの人形体１１の幅よりも接点露出部２４の接点２５の距離を小さく設定すれば、小さいほうの人形体１１を接点露出部２４に配置した場合には作動機構２１が作動しないが、大きいほうの人形体１１を配置したときには作動機構２１が作動するようにすることができる。例えば、赤ちゃんの人形体１１を配置しても動かないが、大人の人形体１１を配置すれば動くというような電動玩具２０を提供することができる。
【００５０】
なお、上記した実施形態においては、モータや音声出力装置を備えた電動玩具２０を例にしたが、本発明の実施形態としてはこれに限らず、任意の電動玩具２０に適用することができる。例えば、人形体１１を配置することで照明が点灯する玩具などにも応用できる。また、複数の作動機構２１（モータ、音声出力装置、照明装置など）を備え、通電したときにこの複数の作動機構２１が同時に作動するように形成してもよい。
【００５１】
また、上記した実施形態においては、複数の接点露出部２４を備える例として２つの接点露出部２４を備えた電動玩具２０について説明したが、本発明の実施形態としてはこれに限らず、３つ以上の接点露出部２４を備えた電動玩具２０を提供してもよい。
【符号の説明】
【００５２】
１０  玩具セット
１１  人形体
１２  人形本体
１３  衣服
２０  電動玩具
２１  作動機構
２３  電線
２４  接点露出部
２５  接点
２６      制御装置
２６ａ      検出回路
２６ｂ      制御回路
２６ｃ      駆動回路
【図１】
2014124280.tif 000003
【図２】
2014124280.tif 000004
【図３】
2014124280.tif 000005
【図４】
2014124280.tif 000006
【図５】
2014124280.tif 000007
【図６】
2014124280.tif 000008
【図７】
2014124280.tif 000009